【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
第１の活性金属を含む負極；
第２の活性金属を含む、前記負極から分離している正極；ならびに
前記第１の活性金属の塩および前記第２の活性金属の塩を含む、前記負極と前記正極との間にある電解質であって、前記電解質は第１および第２の界面を画定し、前記負極は、前記第１の界面で前記電解質と接触しており、前記正極は、前記第２の界面で前記電解質と接触している、電解質
を備える電気化学電池。
【請求項２】
前記正極が、ニッケル、鉄、銅、鉛、亜鉛、ビスマス、スズ、アルミニウム、およびこれらの組合せからなる群から選択される、請求項１に記載の電気化学電池。
【請求項３】
前記正極が、ビスマス中に２０モル％の鉛を有する合金を含む、請求項２に記載の電気化学電池。
【請求項４】
前記負極が、アルカリ金属を含む、請求項１に記載の電気化学電池。
【請求項５】
前記アルカリ金属が、リチウム、ナトリウム、およびこれらの組合せからなる群から選択される、請求項４に記載の電気化学電池。
【請求項６】
前記負極が、アルカリ土類金属を含む、請求項１に記載の電池。
【請求項７】
前記アルカリ土類金属が、マグネシウム、カルシウム、およびこれらの組合せからなる群から選択される、請求項６に記載の電気化学電池。
【請求項８】
前記電解質が、前記第１および第２の活性金属の塩をさらに含み、前記第１および第２の活性金属の前記塩が、ハロゲン化物、硫酸塩、炭酸塩、硝酸塩、およびこれらの組合せからなる群から選択される、請求項１に記載の電気化学電池。
【請求項９】
前記ハロゲン化物が、塩化物、臭化物、ヨウ化物、およびこれらの組合せからなる群から選択される、請求項８に記載の電気化学電池。
【請求項１０】
前記電解質が、非活性金属の塩をさらに含む、請求項１に記載の電気化学電池。
【請求項１１】
前記非活性金属がカリウムである、請求項１０に記載の電気化学電池。
【請求項１２】
Ｌｉ｜ＰｂＣｌ２電気化学電池、Ｌｉ｜ＦｅＣｌ２電気化学電池、またはＬｉ｜ＬｉＢｒ−ＰｂＢｒ２｜Ｐｂ電気化学電池である、請求項１に記載の電気化学電池。
【請求項１３】
前記負極、前記正極、および前記電解質が、約７００℃またはそれ未満から独立に選択される溶融温度を有する、請求項１に記載の電気化学電池。
【請求項１４】
前記負極、前記正極、および前記電解質が、約２００℃〜約３００℃から独立に選択される溶融温度を有する、請求項１に記載の電気化学電池。
【請求項１５】
前記負極、前記正極、および前記電解質が、溶融状態にある、請求項１に記載の電気化学電池。
【請求項１６】
ポリマーで被覆された内壁を有する容器をさらに備える請求項１に記載の電気化学電池であって、前記負極、前記正極、および前記電解質が前記容器内に配置されている、電気化学電池。
【請求項１７】
前記ポリマーが、ポリ（オキシエチレン）メタクリレート−ｇ−ポリ（ジメチルシロキサン）である、請求項１６に記載の電気化学電池。
【請求項１８】
電気エネルギーを外部回路と交換する方法であって、
請求項１に記載の電気化学電池を提供するステップと；
前記電気化学電池を外部回路に接続するステップと；
前記負極と前記電解質との間で前記第１の活性金属の移動を駆動し、前記電解質と前記正極との間で前記第２の活性金属の移動を駆動するように、前記外部回路を動作させるステップと
を含む、方法。
【請求項１９】
前記外部回路が、前記第１の活性金属を前記負極から前記電解質に駆動し、前記第２の活性金属を前記電解質から前記正極に駆動し、それによって前記電気化学電池を放電させる、請求項１８に記載の方法。
【請求項２０】
前記外部回路が、負荷、送電線、発電所、またはこれらの組合せを備える、請求項１８に記載の方法。
【請求項２１】
前記発電所が、太陽、風、河川、潮、熱、またはこれらの組合せからの電気を利用する、請求項２０に記載の方法。
【請求項２２】
前記負極、前記正極、および前記電解質が、約２００℃〜約３００℃から独立に選択される溶融温度を有する、請求項１８に記載の方法。
【請求項２３】
前記電気化学電池を、約５００℃またはそれ未満の温度で動作させる、請求項１８に記載の方法。
【請求項２４】
前記電解質が、非活性金属の塩をさらに含む、請求項１８に記載の方法。
【請求項２５】
前記非活性金属がカリウムである、請求項２４に記載の方法。
【請求項２６】
第１の活性金属を含む負極；
第２の活性金属を含む、前記負極から分離している正極；
前記第１の活性金属の塩を含むアノード液であって、前記負極が、第１の界面で前記アノード液と接触している、アノード液；
前記第２の活性金属の塩を含むカソード液であって、前記正極が、第２の界面で前記カソード液と接触している、カソード液；および
前記アノード液と前記カソード液との間に配置され、かつ前記アノード液および前記カソード液と接触している選択的イオン伝導性セパレーター
を備える電気化学電池。
【請求項２７】
第１の活性金属を含む負極；
第２の活性金属を含む、前記負極から分離している正極；
前記第１の活性金属の塩および前記第２の活性金属の塩を含む、前記負極と前記正極との間にある電解質であって、前記正極が、界面で前記電解質と接触している、電解質；ならびに
前記負極と前記正極との間に配置され、かつ前記負極および前記正極と接触している選択的イオン伝導性セパレーター
を備える電気化学電池。
【手続補正２】
【補正対象書類名】明細書
【補正対象項目名】００１９
【補正方法】変更
【補正の内容】
【００１９】
実施形態の上記の特徴は、添付の図面を参照して、以下の詳細な説明を参照することによって、より容易に理解される。
本発明の実施形態において、例えば以下の項目が提供される。
（項目１）
第１の活性金属を含む負極を画定する第１の相；
前記第１の相から分離され、第２の活性金属を含む正極を画定する第２の相；ならびに
前記第１の相と第２の相との間にあり、かつ前記第１の活性金属の塩および前記第２の活性金属の塩を含む電解質を画定する第３の相であって、前記第３の相は第１および第２の界面を画定し、前記第１の相は、前記第１の界面で前記第３の相と接触しており、前記第２の相は、前記第２の界面で前記第３の相と接触している、第３の相
を備える電気化学電池。
（項目２）
前記第２の相が、ニッケル、鉄、銅、鉛、亜鉛、ビスマス、スズ、アルミニウム、およびこれらの組合せからなる群から選択される、項目１に記載の電気化学電池。
（項目３）
前記第２の相が、ビスマス中に２０モル％の鉛を有する合金を含む、項目２に記載の電気化学電池。
（項目４）
前記第１の相が、アルカリ金属を含む、項目１に記載の電気化学電池。
（項目５）
前記アルカリ金属が、リチウム、ナトリウム、およびこれらの組合せからなる群から選択される、項目４に記載の電気化学電池。
（項目６）
前記第１の相が、アルカリ土類金属を含む、項目１に記載の電池。
（項目７）
前記アルカリ土類金属が、マグネシウム、カルシウム、およびこれらの組合せからなる群から選択される、項目１に記載の電気化学電池。
（項目８）
前記電解質が、前記第１および第２の活性金属の塩をさらに含み、前記第１および第２の活性金属の前記塩が、ハロゲン化物、硫酸塩、炭酸塩、硝酸塩、およびこれらの組合せからなる群から選択される、項目１に記載の電気化学電池。
（項目９）
前記ハロゲン化物が、塩化物、臭化物、ヨウ化物、およびこれらの組合せからなる群から選択される、項目８に記載の電気化学電池。
（項目１０）
前記電解質が、非活性金属の塩をさらに含む、項目１に記載の電気化学電池。
（項目１１）
前記非活性金属がカリウムである、項目１０に記載の電気化学電池。
（項目１２）
Ｌｉ｜ＰｂＣｌ２電気化学電池、Ｌｉ｜ＦｅＣｌ２電気化学電池、またはＬｉ｜ＬｉＢｒ−ＰｂＢｒ２｜Ｐｂ電気化学電池である、項目１に記載の電気化学電池。
（項目１３）
前記第１、第２、および第３の相が、約７００℃またはそれ未満から独立に選択される溶融温度を有する、項目１に記載の電気化学電池。
（項目１４）
前記第１、第２、および第３の相が、約２００℃〜約３００℃から独立に選択される溶融温度を有する、項目１に記載の電気化学電池。
（項目１５）
前記第１、第２、および第３の相が、溶融状態にある、項目１に記載の電気化学電池。
（項目１６）
ポリマーで被覆された内壁を有する容器をさらに備える項目１に記載の電気化学電池であって、前記３つの相が前記容器内に配置されている、電気化学電池。
（項目１７）
前記ポリマーが、ポリ（オキシエチレン）メタクリレート−ｇ−ポリ（ジメチルシロキサン）である、項目１６に記載の電気化学電池。
（項目１８）
電気エネルギーを外部回路と交換する方法であって、
項目１に記載の電気化学電池を提供するステップと；
前記電気化学電池を外部回路に接続するステップと；
前記第１の相と前記第３の相との間で前記第１の活性金属の移動を駆動し、前記第３の相と前記第２の相との間で前記第２の活性金属の移動を駆動するように、前記外部回路を動作させるステップと
を含む、方法。
（項目１９）
前記外部回路が、前記第１の活性金属を前記第１の相から前記第３の相に駆動し、前記第２の活性金属を前記第３の相から前記第２の相に駆動し、それによって前記電気化学電池を放電させる、項目１８に記載の方法。
（項目２０）
前記外部回路が、負荷、送電線、発電所、またはこれらの組合せを備える、項目１８に記載の方法。
（項目２１）
前記発電所が、太陽、風、河川、潮、熱、またはこれらの組合せからの電気を利用する、項目２０に記載の方法。
（項目２２）
前記第１、第２、および第３の相が、約２００℃〜約３００℃から独立に選択される溶融温度を有する、項目１８に記載の方法。
（項目２３）
前記電気化学電池を、約５００℃またはそれ未満の温度で動作させる、項目１８に記載の方法。
（項目２４）
前記電解質が、非活性金属の塩をさらに含む、項目１８に記載の方法。
（項目２５）
前記非活性金属がカリウムである、項目２６に記載の方法。
（項目２６）
第１の活性金属を含む負極を画定する第１の相；
前記第１の相から分離され、第２の活性金属を含む正極を画定する第２の相；
前記第１の活性金属の塩を含むアノード液を画定する第３の相であって、前記第１の相が、第１の界面で前記第３の相と接触している、第３の相；
前記第２の活性金属の塩を含むカソード液を画定する第４の相であって、前記第２の相が、第２の界面で前記第４の相と接触している、第４の相；および
前記第３の相と第４の相との間に配置され、かつ前記第３の相および第４の相と接触している選択的イオン伝導性セパレーター
を備える電気化学電池。
（項目２７）
第１の活性金属を含む負極を画定する第１の相；
前記第１の相から分離され、第２の活性金属を含む正極を画定する第２の相；
前記第１の相と第２の相との間にあり、かつ前記第１の活性金属の塩および前記第２の活性金属の塩を含む電解質を画定する第３の相であって、前記第２の相が、界面で前記第３の相と接触している、第３の相；ならびに
前記第１の相と第２の相との間に配置され、かつ前記第１の相および第２の相と接触している選択的イオン伝導性セパレーター
を備える電気化学電池。